(57)【要約】【課題】エアコンの化粧面を保護でき、各トレーからのパッドの分離が容易な天井埋込型エアコンの梱包体を提供する。【解決手段】底トレ１ーと天トレー２の間に埋込型エアコンを挟み込む梱包体において、底トレー１のパッド５を底板９で押さえ、底板９の周縁を底トレー１の周壁４に係合させ、底板９を外すと、底トレー１からパッド５を分離できるようにする。また、天トレー２の底壁３に貼り付けた固定材１２を、パッド６の穴１３に差し込み、固定材１２からパッド６を引き抜くだけで、天トレー２からパッド６を分離できるようにする。さらに、固定材１２を三角柱状として、内側へ向けた固定材１２の斜面に係合片１４を形成し、この係合片１４にエアコン隅部の突起が係合して、天トレー２とエアコンとが固定されるようにする。【選択図】  図３
2004250008.tif 000002
【特許請求の範囲】
【請求項１】
底トレーと天トレーの間に埋込型エアコンを挟み込む梱包体において、前記底トレーの隅部に配置したパッドを底板で押さえ、底板の周縁に設けた突片を底トレーの周壁に形成した切込に係合させて、各パッドを底トレーに固定したことを特徴とする天井埋込型エアコンの梱包体。
【請求項２】
底トレーと天トレーの間に埋込型エアコンを挟み込む梱包体において、前記天トレーの底壁に貼り付けた固定材を、天トレーの隅部に配置したパッドの穴に差し込んで、各パッドを天トレーに固定したことを特徴とする天井埋込型エアコンの梱包体。
【請求項３】
前記固定材を三角柱状として、内側へ向けた固定材の斜面に切込による係合片を形成し、この係合片にエアコンの隅部の突起が係合するようにしたことを特徴とする請求項２に記載の天井埋込型エアコンの梱包体。
【発明の詳細な説明】
【０００１】
【発明の属する技術分野】
この発明は、天井埋込型エアコンの取付現場への輸送に使用する梱包体に関するものである。
【０００２】
【従来の技術】
一般に、天井埋込型のエアコンを取付現場へ輸送する際には、段ボール製の底トレーと天トレーの隅部に発泡スチロール製のパッドを貼り付けた梱包体を使用し、これらのパッドをエアコンの隅部に当接させ、底トレーと天トレーとでエアコンを挟み込んで、衝撃等からエアコンを保護するようにしている。
【０００３】
【発明が解決しようとする課題】
ところで、エアコンの取付工事に際し、吹出口等を有する室内側の化粧面を下にしてエアコンを一旦床に置くことがあるが、上記梱包体では、化粧面に被さる天トレーとエアコンとが固定されていないため、開梱時に天トレーが外れ、化粧面が直接床に接触して傷つくことがあった。
【０００４】
また、上記梱包体を段ボールと発泡スチロールに分別して廃棄する際、パッドをトレーから分離するのに大きな力を要するという問題もあった。
【０００５】
そこで、この発明は、エアコンの化粧面を保護でき、各トレーからのパッドの分離が容易な天井埋込型エアコンの梱包体を提供することを課題とする。
【０００６】
【課題を解決するための手段】
上記課題を解決するため、この発明では、底トレーと天トレーの間に埋込型エアコンを挟み込む梱包体において、前記底トレーの隅部に配置したパッドを底板で押さえ、底板の周縁に設けた突片を底トレーの周壁に形成した切込に係合させて、各パッドを底トレーに固定し、底板を外すと、底トレーからパッドを分離できるようにしたのである。
【０００７】
また、前記天トレーの底壁に貼り付けた固定材を、天トレーの隅部に配置したパッドの穴に差し込んで、各パッドを天トレーに固定し、固定材からパッドを引き抜くだけで、天トレーからパッドを分離できるようにしたのである。
【０００８】
さらに、前記固定材を三角柱状として、内側へ向けた固定材の斜面に切込による係合片を形成し、この係合片にエアコンの隅部の突起が係合して、天トレーとエアコンとが固定されるようにしたのである。
【０００９】
【発明の実施の形態】
以下、この発明の実施の形態を添付図面に基づいて説明する。
【００１０】
この梱包体は、図１に示すように、段ボール製の底トレー１と天トレー２とから構成され、図２に示すように、底トレー１と天トレー２とでエアコン１５を挟み、バンド掛けして梱包するものである。この梱包状態において、エアコン１５の天井内へ埋め込まれる機械面には底トレー１が、吹出口等を有する室内側の化粧面には天トレー２が被せられる。
【００１１】
上記底トレー１及び天トレー２は、図３に示すように、底壁３の周囲に周壁４を連設した構成とされ、底トレー１と天トレー２の四隅には、それぞれ発泡スチロール製のパッド５，６が配置される。これらのパッド５，６には、それぞれ台部７と枠部８とが形成されている。パッド５，６としては、底トレー１及び天トレー２の両側縁に沿って延びる一対のものを用いることもある。
【００１２】
そして、底トレー１の四隅に配置されたパッド５の台部７には、図３及び図４に示すように、枠部８の部分を切り欠いた段ボール製の底板９が載せられ、この底板９の周縁に設けた突片１０を底トレー１の周壁４に形成した切込１１に係合させて、各パッド５が底トレー１に固定されている。
【００１３】
ところで、この底板９は、エアコンの取付工事に際し、ドリル穴等の位置決めをする型紙となっている。このように、梱包体の一部を型紙として使用すると、専用の型紙を別途用意する必要がなく、コストダウンを図ることができる。
【００１４】
一方、天トレー２の底壁３の四隅には、図３及び図５に示すように、段ボールを三角柱状に折り曲げた固定材１２が貼り付けられ、この固定材１２をパッド６の穴１３に差し込んで、各パッド６が天トレー２に固定されている。なお、固定材１２を先に穴１３に差し込んでおき、その後、底壁３に貼り付けるようにすると、容易に位置決めすることができる。
【００１５】
上記固定材１２は、斜面が内側へ向くように配置され、その斜面には、コ字状の切込により係合片１４が形成されている。この係合片１４は、天トレー２をエアコン１５に被せる際、図６及び図７に示すように、エアコン１５の隅部の突起１６で固定材１２の内部に押し込まれ、突起１６の通過後に復元して、突起１６に係合する。これにより、天トレー２とエアコン１５とが固定される。
【００１６】
このため、エアコン１５の取付工事に際し、バンドを切断してエアコン１５から底トレー１を外した後、エアコン１５を化粧面を下にして一旦床に置く際、天トレー２がエアコン１５から脱落せず、エアコン１５の化粧面は天トレー２の底壁３で保護されて、傷つくことがない。
【００１７】
なお、エアコン１５から天トレー２を外す際には、係合片１４を固定材１２の内部に押し込んで、係合片１４と突起１６との係合を解除すればよい。
【００１８】
そして、上記梱包体を廃棄する際には、底トレー１において、切込１１から突片１０が抜けるように底板９を引き上げて外すだけで、底トレー１からパッド５を分離でき、また、天トレー２において、固定材１２からパッド６を引き抜くだけで、天トレー２からパッド６を分離できるので、分別作業の省力化を図ることができる。
【００１９】
【発明の効果】
以上のように、この発明に係る梱包体では、底トレーのパッドを底板で押さえて固定し、天トレーのパッドを固定材に差し込んで固定したので、廃棄時には、底トレー及び天トレーからパッドを容易に分離できる。
【００２０】
また、固定材に形成した係合片にエアコンの隅部の突起が係合して、天トレーとエアコンとが固定されるようにしたので、下に向けたエアコンの化粧面が天トレーの底壁で保護されて、傷つくことがない。
【図面の簡単な説明】
【図１】この発明に係る梱包体の底トレーと天トレーの分離状態を示す斜視図
【図２】同上の梱包状態を示す正面図
【図３】同上の底トレーと天地逆転した天トレーの分離状態を示す斜視図
【図４】同上の底トレーから底板を分離した状態を示す図
【図５】同上の天トレーから固定材及びパッドを分離した状態を示す斜視図
【図６】同上の固定材とエアコンの係合部を示す拡大斜視図
【図７】図６のＶＩＩ−ＶＩＩ線に沿った断面図
【符号の説明】
１  底トレー
２  天トレー
３  底壁
４  周壁
５，６  パッド
７  台部
８  枠部
９  底板
１０  突片
１１  切込
１２  固定材
１３  穴
１４  係合片
１５  エアコン
１６  突起
【図１】
2004250008.tif 000003
【図２】
2004250008.tif 000004
【図３】
2004250008.tif 000005
【図４】
2004250008.tif 000006
【図５】
2004250008.tif 000007
【図６】
2004250008.tif 000008
【図７】
2004250008.tif 000009